(57)【要約】【課題】  各地に散在する観光地の観光に係わる情報を、各観光地で事業を経営する事業者が提供し、この情報を利用してホームページを開設し、このホームページを不特定多数のユーザに公開する情報発信方法を提案する。【解決手段】  情報発信装置は事業者グループの存在を表示する地図情報からユーザが希望する地域を指定させ、地域内の全てのホームページ情報をデータベースから抽出する。抽出したホームページ情報の中からキーワードを用いて目的とするホームページ情報に絞り、その一覧表を表示し、その一覧表の中から閲覧したいホームページを選択させ、そのホームページを表示する。この結果メニュー画面を用いることなく目的のホームページを表示することができる。  【選択図】  図１
2005141765.tif 000002
【特許請求の範囲】
【請求項１】
Ａ、ユーザ端末からの接続要求に対して事業者グループの存在を表示する地図情報をトップページとして上記接続要求したユーザ端末に送付する過程と、
Ｂ、ユーザ端末から上記事業者グループの上記トップページ上の位置情報の返送に対し、その位置情報で特定される地域を指定してホームページ情報をデータベースから検索する過程と、
Ｃ、上記ユーザ端末から上記事業者グループの位置情報の返送に対し、上記ユーザ端末にキーワード選択画面を提供する過程と、
Ｄ、ユーザ端末からのキーワードの選択結果を受け取り、選択されたキーワードを含むホームページのトップページを検索する過程と、
Ｅ、検索結果をトップページの一覧表としてユーザ端末に提供し、どのトップページに従属するホームページを閲覧するかを選択する過程と、
Ｆ、選択されたホームページを表示するためのホームページ情報を生成するホームページ情報生成過程と、
Ｇ、ホームページ情報生成過程で生成されたホームページ情報をユーザ端末に送付する過程と、
を実行することを特徴とする情報発信方法。
【請求項２】
請求項１記載の情報発信方法において、上記ホームページ情報には複数の表示開始月日情報と、この複数の表示開始月日情報でそれぞれ指定される表示開始日以後に表示すべき表示データとが従属され、上記ホームページ情報生成過程では表示開始月日情報に従って、表示すべき表示データを抽出し、抽出した表示データを添付したホームページ情報を生成することを特徴とする情報発信方法。
【請求項３】
Ａ、ユーザ端末からの接続要求によって起動され、事業者グループの存在を表示する地図情報をトップページとして上記接続要求を発信したユーザ端末に送付するトップページ情報格納発送部と、
Ｂ、ユーザ端末から上記事業者グループの上記トップページ上の位置情報の返送に対し、その位置情報で特定される地域を指定してホームページ情報をデータベースから検索する第１検索部と、
Ｃ、上記ユーザ端末から上記事業者グループの位置情報の返送に対し、上記ユーザ端末にキーワード選択画面を提供するキーワード選択画面提供部と、
Ｄ、上記ユーザ端末からのキーワードの選択結果を受け取り、選択されたキーワードを含むホームページのトップページを検索する第２検索部と、
Ｅ、この検索部の検索結果をトップページの一覧表としてユーザ端末に提供し、どのトップページに従属するホームページを閲覧するかをユーザ端末に選択させる選択部と、  Ｆ、選択されたホームページを表示するためのホームページ情報を生成するホームページ情報生成部と、
Ｇ、このホームページ情報生成部で生成したホームページ情報をユーザ端末に発送するホームページ情報発送部と、
によって構成したことを特徴とする情報発信装置。
【請求項４】
請求項３記載の情報発信装置において、上記ホームページ情報には複数の表示開始月日情報と、この複数の表示開始月日情報でそれぞれ指定される表示開始日以後に表示すべき表示データとが従属され、上記ホームページ情報生成部では表示開始月日情報に従って、表示すべき表示データを抽出し、抽出した表示データを添付したホームページ情報を生成することを特徴とする情報発信装置。
【発明の詳細な説明】
【技術分野】
【０００１】
この発明は例えば地域の観光に関する情報を収集し、この情報を不特定多数に公開する場合に適用して好適な情報を発信する情報発信方法、情報発信装置に関する。
【背景技術】
【０００２】
インターネットのような通信網を利用して仮想商店街を構築する例が見られる。図１５に簡単な仮想商店街の組織の一例を示す。図中１０は仮想商店街を企画し運営する会社が作成し、管理するトップページ群を示す。トップページ群１０はこの例では大メニュー１１と、小メニュー群１２と、商店名メニュー群１３とによって構成した場合を示す。
まずユーザはこの仮想商店街にアクセスすると大メニューが提供されユーザ端末に大メニューが表示される。この大メニュー１１には商品別に項目が表示され、大メニュー１１の中で閲覧したい商品名をクリック（マウス操作により画面上の位置を入力する）すると、その商品の小メニューが表示される。小メニュー群１２は大メニュー１１で選択した商品を更に細分化し、分野を定める。例えば小メニュー群１２の中で「スーツ」を指定したとすると、スーツを販売している商店名メニュー群１３が表示される。商店名メニュー１３の中から、目的とする商店名をクリックすると、その商店名の商店が開設したホームページ１４Ａにリンクされ、その商店の販売商品を閲覧することができる。
【０００３】
トップページ群１０にはインターネットから誰でもアクセスすることができることから、不特定多数のユーザに各商店のホームページを閲覧させることができ、ホームページの解説によって多くのユーザに広告と宣伝及び販売を行うことができる。
【発明の開示】
【発明が解決しようとする課題】
【０００４】
図１５に示したメニュー表示方式のトップページ群１０によれば商店の入れ替えがあった場合、その入れ替えに応じて商店名メニュー１３の書き替えを行わなくてはならない。
また商店名ページ群１４は各商店主がホームページを管理するが、例えば季節毎に商品の入れ替えを行う場合には各商店のホームページを書き換える必要がある。ホームページを書き換えるには多少のプログラム言語の知識を必要とし、誰にでも簡単に実行できるものではない。このため、一般にはホームページの書き替えを、トップページ群１０を管理する会社に依頼し書替手数料等を管理会社に支払うことになる。
【０００５】
従って、図１５に示したメニュー方式で仮想商店街を構築した場合は、トップページ群１０を管理する管理会社の手間が繁雑であることと、各商店の経済的な負担が重くなる不都合が生じる。
特に、この組織を各地域毎の観光ガイドのような分野に利用しようとした場合、その地域の例えば観光協会がトップページ群１０を管理したとすると、その管理に人手を要し、また専門的な知識が要求されるため、実現は難しい。また、観光地の旅館、ペンション、ホテル、みやげ物店、飲食店等がホームページを作成し、更に季節毎にホームページを書き換えるとなると、その書き替えのための費用も大きくなるため加入者の負担は大きい。
【０００６】
この発明の目的は各地域の観光協会（特に観光協会にこだわるものではないが、ここでは観光を例として説明する）に人手が掛かる人為的な負担を強いることがなく、また各商店（以下事業者と称す）に経済的な負担を掛けることもなく各事業者専門のホームページを作成し、そのホームページの情報を発信することができ、更にホームページの書き替えも事業者自身が簡単に行うことができ、従ってホームページ運用に要する経済的な負担を軽減することができる情報発信方法、情報発信装置を提案しようとするものである。
【課題を解決するための手段】
【０００７】
この発明ではユーザ端末からの接続要求に対して事業者グループの存在を表示する地図情報をトップページとして接続要求したユーザ端末に送付する過程と、ユーザ端末から上記事業者グループのトップページ上の位置情報の返送に対し、その位置情報で特定される地域を指定してホームページ情報をデータベースから検索する過程と、ユーザ端末から事業者グループの位置情報の返送に対し、上記ユーザ端末にキーワード選択画面を提供する過程と、ユーザ端末からのキーワードの選択結果を受け取り、選択されたキーワードを含むホームページのトップページを検索する過程と、検索結果をトップページの一覧表としてユーザ端末に提供し、どのトップページに従属するホームページを閲覧するかを選択する過程と、選択されたホームページを表示するためのホームページ情報を生成するホームページ情報生成過程と、ホームページ情報生成過程で生成されたホームページ情報をユーザ端末に送付する過程とを実行することを特徴とする情報発信方法。
【０００８】
この発明では更に上記情報発信方法において、ホームページ情報には複数の表示開始月日情報と、この複数の表示開始月日情報でそれぞれ指定される表示開始日以後に表示すべき表示データとが従属され、ホームページ情報生成過程では表示開始月日情報に従って、表示すべき表示データを抽出し、抽出した表示データを添付したホームページ情報を生成することを特徴とする。
この発明ではユーザ端末からの接続要求によって起動され、事業者グループの存在を表示する地図情報をトップページとして上記接続要求を発信したユーザ端末に送付するトップページ情報格納発送部と、ユーザ端末から上記事業者グループの上記トップページ上の位置情報の返送に対し、その位置情報で特定される地域を指定してホームページ情報をデータベースから検索する第１検索部と、ユーザ端末から上記事業者グループの位置情報の返送に対し、ユーザ端末にキーワード選択画面を提供するキーワード選択画面提供部と、ユーザ端末からのキーワードの選択結果を受け取り、選択されたキーワードを含むホームページのトップページを検索する第２検索部と、この検索部の検索結果をトップページの一覧表としてユーザ端末に提供し、どのトップページに従属するホームページを閲覧するかをユーザ端末に選択させる選択部と、選択されたホームページを表示するためのホームページ情報を生成するホームページ情報生成部と、このホームページ情報生成部で生成したホームページ情報をユーザ端末に発送するホームページ情報発送部とによって構成した情報発信装置を提案する。
【０００９】
この発明では更に上記情報発信装置において、ホームページ情報には複数の表示開始月日情報と、この複数の表示開始月日情報でそれぞれ指定される表示開始日以後に表示すべき表示データとが従属され、ホームページ情報生成部では表示開始月日情報に従って、表示すべき表示データを抽出し、抽出した表示データを添付したホームページ情報を生成する情報発信装置を提案する。
【発明の効果】
【００１０】
この発明による大きな作用効果としては、各観光地毎に独立して地域情報を発信するサイトを開設しなくとも、各観光地の事業者（旅館経営者、みやげ物販売店主等）がグループをつくり、このグループ化した事業者がこの発明による情報発信装置にホームページ群を開設し、さらにそのホームページ群の中の一つにその観光地共有の情報を掲載したホームページを開設すれば、その観光地の情報を不特定多数のユーザに広告することができる。
特に地域を選ぶことなく、あらゆる地域の観光地の事業又は観光に限らず或る業種の事業者等がグループを作り、そのグループがこの発明による情報発信装置のホームページ開設者に加入すれば、直ちにその地域の事業者グループの情報発信サイトを構築することができる。
【００１１】
また、この発明の情報発信装置を構築するために用いる情報収集装置に特徴を有する。この情報収集装置の特徴はホームページの開設にプログラムの知識を必要としない点にもある。つまり誰にでも簡単にホームページを開設することができ、また書き替えを行うことができるから、ホームページを運用するに必要とする経済的な負担を軽減することができる。従って、小さな商店或いは事業所でもこの発明による情報発信装置にホームページを開設することができるため地域活性化の一助をになうことができる利点が得られる。
この発明の具体的な作用効果としてはこの発明による情報発信装置を構築するために用いる情報収集方法及び情報収集装置によればホームページの開設を希望する事業者には予めデータ入力用の入力画面を提供し、この入力画面に従って事業者はホームページの作成に必要な基本データ及び詳細データを入力する。入力されたデータにはどの入力画面のどの入力欄で入力したデータであるかが対応付けがされる。
【００１２】
更に事業者端末にホームページの雛形が提供され、この雛形の中から好みのレイアウトを持つ雛形を選択する。ホームページの雛形には各表示欄にどの入力画面のどの入力欄で入力したデータを嵌め込むかがプログラムされている。従って、事業者は基本データ及び詳細データの入力と雛形の選択を行っただけでホームページを作成することができる。
つまり、この情報収集方法及び装置によればプログラムの知識が無くとも極めて容易に各自のホームページを開設することができる利点が得られる。
更に、この情報収集方法及び情報収集装置によればホームページ用データにキーワードを付加してデータベースに蓄積するから、この発明による情報発信装置ではキーワードを頼りに検索を行うことができ、ユーザが希望する分野の情報を分類して発信することができる。このように検索方法によりユーザが希望する分類に仕分けして情報を発信する方法を採ることにより、図１５で説明したようにメニューの書替を行う必要がなく、管理を簡素化することができる利点が得られる。
【００１３】
更に、この発明の情報発信装置を構築するために用いる情報収集方法及び情報収集装置によれば、事業者がホームページの書替を希望した場合も、書き替えの要求に応じてホームページのレイアウトの変更から、ホームページの一部の表示の変更まで自由に選択することができる。
然も、その変更は上述したように誰にでも簡単に行うことができるから、ホームページの一部の表示欄を、例えば日替わりサービス表示欄とし、この表示欄の表示内容を毎日書き換えることもできる。特に入力文字数を少ない数に制限した表示欄を設けることにより、携帯電話機のような端末からでも書き替えを行うことができる。
【発明を実施するための最良の形態】
【００１４】
図１を用いてこの発明による情報発信装置と、この情報発信装置を構築するために用いる情報収集装置の概要を説明する。情報収集装置１１０とこの発明の情報発信装置１３０はインターネットのような通信網２００に接続された管理サーバ１００の内部に構築される。
尚、ここでは情報収集装置１１０と情報発信装置１３０によって各地に散在する観光地の情報をホームページでガイドする観光ガイドシステムとして動作させる場合を説明する。更に管理サーバ１００を運営する運用者を管理者、各観光地で宿泊施設等を経営し、ホームページによってその施設の情報を発信する情報発信人を事業者、各地域の事業者の集合を事業者グループ、通信網２００を通じて各ホームページを閲覧する不特定多数の人々をユーザと呼ぶことにする。
【００１５】
管理サーバ１００の内部には情報収集装置１１０とこの発明による情報発信装置１３０の他に、これらを制御する制御部１０１とデータベース１０２とが設けられる。情報収集装置１１０には事業者認証部１１１が設けられる。事業者認証部１１１は通信網２００を通じて接続要求を発信する事業者端末３００の接続要求に対し、発信元が正規の契約を交わした事業者であるか否かの認証を行う。認証にはＩＤ番号、パスワード等が用いられる。
事業者認証部１１１が正規の事業者であることを認証すると、情報収集装置１１０は制御部１０１の制御に従って情報収集動作を実行することを許可される。情報収集装置１１０が収集したホームページ用データは所定のフォーマットに整えられてデータベース１０２に格納される。事業者端末３００がどの地域の事業者が所有する端末であってもそれぞれから発信されるホームページ用データは共通のデータベース１０２に格納される。データベース１０２に格納される各事業者のホームページ用データには各事業者の業務内容を表わすキーワードの他に、電話番号或いは郵便番号が付加されており、これらの番号からどの地域の事業者のホームページ用データであるかを判定することができる。従って、どの地域の事業者のホームページ用データがデータベース１０２内に混在しても郵便番号或いは電話番号の局番等により地域を指定することができ、各地域内の事業者であることを検索することができる。
【００１６】
また、データベース１０２に格納するアドレスは例えばＩＤ番号を一部に組み込んだアドレスとされ、爾後再び各事業者端末３００が接続要求を発信した場合には事業者認証部１１１が認証すれば、その認証に用いたＩＤ番号によりその事業者端末３００に割当てられているアドレスが生成され、そのアドレスにアクセスすることができる。つまり、アクセスの再現性が保たれる。
一方、情報発信装置１３０はユーザ端末４００から接続要求を受けると、そのユーザ端末４００にトップページ情報を送出し、ユーザ端末４００に図２に示す地図を表示する。この地図には例えば枡目１６が表示され、この枡目１６によって地図上の領域が仕切られて表示される。ユーザは希望する地域を含む枡目を指定してクリックを入力すると、情報発信装置１３０はその枡目１６の内部の詳細マップ情報を送出し、ユーザ端末４００に詳細マップ（図３）を表示する。詳細マップにはこの観光ガイドシステムに加盟している観光地の地名と場所を表わす位置を表示する。ユーザは目的地とする観光地の位置を指定してクリックするとそのクリック入力により指定された観光地を表わす例えばコード番号が情報発信装置１３０に返送され、この観光地を表わすコード番号（例えば郵便番号）に従
って、検索装置（情報発信装置１３０内に設けられる）がデータベース１０２を検索し、指定された地域のホームページ用データ（各ホームページのトップページを表わすデータ）を全てピックアップする。
【００１７】
これと共に、情報発信装置１３０はユーザ端末４００に検索用画面情報を送出し、ユーザ端末４００に検索用画面（図４）を表示する。ユーザ端末４００に表示される検索用画面には指定日時入力欄４０１と、検索対象とするキーワードを表示した釦Ｂ１、Ｂ２、Ｂ３…Ｂ９が表示され、これらの釦Ｂ１〜Ｂ９にクリックを入力することにより、その釦に割当てたコード情報が情報発信装置１３０に返送される。情報発信装置１３０は送り返されたコード情報に従って、先にピックアップしてあるホームページ用データ群を検索する。例えば泊まるをキーワードとして検索を行ったとすると、その地域に存在する宿泊施設の事業者が運用するホームページ用データがピックアップされる。各ホームページのトップページを抽出し、その抽出した画面情報をユーザ端末４００に送出し、ユーザ端末４００に図５に示すトップページの一覧表を表示する。
【００１８】
一覧表に示す表示欄Ｃ１、Ｃ２…Ｃ６には各宿泊施設の名称を表示し、表示欄Ｄ１、Ｄ２、Ｄ３…Ｄ６にはこの例では各宿泊施設の外観を表わす写真を表示し、その下部に配置した表示欄Ｅ１〜Ｅ６に各宿泊施設の簡単な紹介記事を表示した例を示す。
ユーザは表示されている一覧表の中の注目した宿泊施設の詳細を知りたい場合は、その宿泊施設の表示部分、例えばＣ１〜Ｃ６にクリックする。このクリックの入力により情報発信装置１３０に個別のホームページの表示要求が出され、クリックされた施設の個別のホームページ情報にリンクされてユーザ端末４００に送り届けられ表示される。
【００１９】
図２に示した地図は主に関東地方を描いているが、この観光ガイドシステムが全国規模で組織された場合には全国地図がトップぺージとして表示されることとなる。また日本国内に限らず海外の観光地の事業者グループも加入した場合には、その海外の地域を含む地図をトップページに記載することになる。これらのトップページは管理サーバを運用する管理者が用意することになる。
以上により情報収集装置１１０と情報発信装置１３０の概要が理解されよう。以下では図６に示した情報収集装置１１０の動作を図７〜図１１に示した各入力用画面を用いて説明する。尚、図７〜図１１に示した各入力画面は情報収集装置１１０に設けたデータ収集部１１３から事業者端末３００に送られた入力画面データにより事業者端末３００に表示された画面である。
【００２０】
事業者端末３００（図１参照）から情報収集装置１１０に接続要求が発信されると、情報収集装置１１０は事業者認証部１１１を起動させる。事業者認証部１１１は事業者端末３００から送られてくる例えばＩＤ番号、パスワード等を使って正規の加入者であるか否かを判定する。正規の加入者であると認証すると、ホームページ新規作成・書替判定部１１２を起動させる。ホームページ新規作成・書替判定部１１２は事業者端末３００に新規作成か書き替えかを問い合わせる。事業者端末３００から新規作成の返事を受け取るとデータ収集部１１３を新規作成モードで起動させる。
【００２１】
データ収集部１１３が新規作成モードで起動されると、事業者端末３００に基本データ収集用の入力画面データを送り込み事業者端末３００に図７に示す基本データ収集用の入力画面を表示する。
事業者はこの入力用画面に従って入力欄Ａ１に自己の店名、入力欄Ａ２に簡単な紹介記事、入力欄Ａ３に定休日…入力欄Ａ８に郵便番号と住所、入力欄９に電話番号とファックス番号、入力欄Ａ１０にメールアドレス等を記入し、基本データの入力を完了する。
基本データの入力が完了すると基本データの一つとなるキーワードの入力を図８に示す入力画面に従って行う。キーワードの入力としては自己の施設の性格を表わすキーワードを選択し、その表示欄にクリックを与えることにより、各キーワードの表示欄にチェックが付され、選択されたことを表示する。キーワードにはこの例ではメインキーワードとサブキーワードとが存在し、サブキーワードの入力欄にも記入を行う。図７に示した入力欄Ａ１〜Ａ１０及び図８に示したキーワード入力画面のチェックの位置情報は事業者端末３００から情報収集装置１１０に送り込まれ、一時記憶部１１５に一時格納される。
【００２２】
図９はホームページに表示する写真データを入力するための入力画面を示す。この入力画面ではメイン写真を貼り付ける入力欄ＳＨ１と、サブ写真を貼り付ける入力欄ＳＨ２、ＳＨ３、ＳＨ４、ＳＨ５を有する。これらの各入力欄ＳＨ１〜ＳＨ５に写真を貼り付けるには例えばデジタルカメラで撮影した写真画像を画面上でドラッグアンドドロップ（マウス操作の一つ）して貼り付けて写真データを入力するか、又は写真をスキャナで読み込んでドラッグアンドドロップして各入力欄ＳＨ１〜ＳＨ５に入力する。尚、各写真データの入力欄ＳＨ１〜５には静止画像に限らず、ビデオカメラで撮影した動画データ（音声データを含む）を埋め込むこともできる。また、音声データは独立して文字入力欄等に埋め込むこともできる。
【００２３】
各入力欄ＳＨ１〜ＳＨ５に入力した各画像データにはファイル名を付す。つまり、各表示欄ＳＨ１〜ＳＨ５に近接してファイル名の入力欄Ｆ１、Ｆ２、Ｆ３…Ｆ５を設け、このファイル入力欄Ｆ１〜Ｆ５に各画像データのファイル名を入力する。一般にはデジタルカメラの画像データに付されたファイル名を用いる。
このファイル名の付与により、メイン写真とサブ写真の区別がつけられ、どの写真をどの表示欄に表示するのかを制御することができる。
ここでは更に、カレンダ機能を利用してサブ写真を例えば春用、夏用、秋用、冬用に用意し、その表示開始月日を指定できる構成とした場合を示す。入力欄ＭＤ１、ＭＤ２、ＭＤ３、ＭＤ４はその表示開始月日を入力するための入力欄を示す。つまり、図９に示す例では入力欄ＭＤ１を春の表示開始月日を入力する入力欄、入力欄ＭＤ２を夏の表示開始月日を入力する入力欄、入力欄ＭＤ３を秋の表示開始月日を入力する入力欄、入力欄ＭＤ４を冬の表示開始月日を入力する入力欄とした場合を示す。
【００２４】
これらの各入力欄ＭＤ１〜ＭＤ４に入力した月日を後述するカレンダ機能で読み取り、その日時を経過すると、ホームページに表示されるサブ写真が自動的に入れ替えられる。
図１０は詳細データの入力画面を示す。入力欄ＳＨ１には施設の位置を知らせるための施設案内図（画像データ）を入力する。入力欄ＳＨ２には例えば施設内の詳細写真データＮＯ．１を入力する。入力欄ＳＨ３には詳細写真データＮＯ．２を、入力欄ＳＨ４には詳細写真デ−タＮＯ．３を入力する。
入力欄Ｆ１〜Ｆ４にはこれらの各画像データに付与するファイル名を入力する。また、入力欄Ｄ１には例えば１００文字程度に文字数を制限して施設案内説明を記入し、入力欄Ｄ２〜Ｄ３には各詳細写真ＮＯ．１〜ＮＯ．３と対応付けして施設内の詳細を紹介する施設案内説明１〜３を記入する。
【００２５】
また、記入欄Ｔ１、Ｔ２、Ｔ３には各施設詳細説明１〜３の入力欄に入力した内容に対応したタイトルを記入する。
図１１はカレンダ入力画面を示す。カレンダ入力とは年月日を指定して、宿泊施設の場合は空室、満室の状況を入力し、行事予定等を入力することを指す。図１１には宿泊施設用のカレンダ入力画面を示しているが、その他に観光協会用、飲食店用、売店用等が用意される。
カレンダ入力画面で入力したカレンダデータは各事業者のデータベースに格納される。格納容量としては例えば４年分とされ、過去２年分と未来２年分とに割当てられる。過去２年分は事業者が記録として利用するものとし、ユーザに対しては未来分の数か月分を公開する。カレンダデータは書き込み時に年月日が前後して書き込まれたとしても検出される時に年月日の古い順に読み出しが行われ、表示には年月日の古い順に表示が行われる。２年以上経過したカレンダデータは日時が２年を経過した時点で自動消去される。その自動消去で新たな書き込み領域（４年分の中の１行分）が書き込み可能領域として再生される。
【００２６】
以上説明した入力画面の全ての入力欄（文字データ及び画像データの全て）に変数名が割当てられ、この変数名に各入力欄で入力した文字データ及び画像データを代入して一時記憶部１１５に格納され、全ての入力が完了した時点でデータベース１０２への書き込みがデータベース書込部１１７によって実行される。
データベース１０２への書込のためのアドレスの生成方法としては、先に説明した事業者のＩＤ番号等を使ってアドレスを生成する方法の他に例えば入力した郵便番号等を利用して各地域毎に記憶領域を分割し、各記憶領域毎にホームページの作成順に０番地からアドレスを割当てると共にデータベース上のアドレスと各事業者のＩＤ番号との対照表を作成しておく方法が考えられる。
【００２７】
爾後はこの対照表を参照すれば各自業者のホームページの書き替え要求に対し、認証時に正しくＩＤ番号を入力すれば対照表から自己のホームページデータを格納したアドレスをアクセスすることが可能となる。
データベース１０２に格納された各事業者のホームページ表示用データは上述したように各入力欄で入力した文字列データ及び画像データの全てに変数名が付与されており、その変数名に文字列データ及び画像データを代入してデータベースに格納しているからその変数名を指定することによりどの入力画面で入力した文字列データでも画像データでもデータベース１０２から呼び出すことができる。
【００２８】
従って、ホームページの雛形を表示するための表示用プログラムの記述の中で表示欄を形成する部分に、その表示欄に表示したい文字列データ又は画像データを代入した変数名を記述しておくことにより、その表示欄に目的とする文字列又は画像を表示させることができる。
図１２は事業者端末３００にホームページの雛形を表示した状態を示す。ＨＰ１とＨＰ２は画像付のホームページの雛形、ＨＰ３及びＨＰ４は文字だけのホームページの雛形を示す。図１２では１画面だけを示すが、図１２に示す画面が複数ページに渡って用意され、その中から任意のレイアウトを持つホームページを選択することもできる。尚、図１２に示すホームページの雛形ＨＰ４は自由作製用の雛形であり、この雛形を選択することにより事業者はプログラム言語を利用して自由にオリジナルのホームページを作成することができる。
【００２９】
各ホームページＨＰ１〜ＨＰ３には複数の表示欄Ｓ１、Ｓ２、Ｓ３、Ｓ４、Ｓ５が設けられ、各表示欄Ｓ１〜Ｓ５の各枠の内部に表示される内容の名称が表示される。
各ホームページの雛形ＨＰ１、ＨＰ２、ＨＰ３、ＨＰ４に対応して入力用釦Ｂ１、Ｂ２、Ｂ３、Ｂ４が設けられ、この釦Ｂ１〜Ｂ４にクリックすることにより、そのホームページを選択し指定することができる。ホームページの雛形を指定することにより、各ホームページの雛形ＨＰ１〜ＨＰ４に割当てられている例えばコード番号が情報収集装置１１０に届けられ、このコード番号が上述した各入力画面で入力した詳細データ、画像データと共にデータベース１０２に書き込まれる。図１２ではホームページＨＰ２とＨＰ３を選択した状態を示す。ホームページＨＰ２では表示欄Ｓ１とＳ２が映像の表示欄である。この２つの映像表示欄Ｓ１とＳ２は予め、表示欄Ｓ１に図９で説明したメイン写真を入力した入力欄の変数名がプログラムに記述されており、この表示欄Ｓ１にメイン写真が表示される。表示欄Ｓ２には図９で説明したサブ写真のいずれか一つ、つまり季節毎に、サブ写真のいずれかが表示される。また表示欄Ｓ３を表示するためのプログラムの記述部分には例えば図７に示した入力欄Ａ２に割り当てた変数名を記述したプログラムとしておくことにより、この表示欄Ｓ３にメインのタイトルとなる紹介記事を表示させることができる。
【００３０】
更に図１２に示す表示欄Ｓ４には図７に示した入力欄Ａ９の変数名を指定し、この表示欄Ｓ４に電話番号とファックス番号を表示させることができる。また表示欄Ｓ５には図７に示した入力欄Ａ１０の変数名を指定することにより予約メールアドレスを表示させることができる。図１３に完成したホームページの確認用画面を示す。この確認用画面は事業者が全ての記入欄に書込を完了した時点で、その事業者の端末３００に送付され、確認用に表示される。
以上はホームページの新規作成の様子を説明したが、ホームページを一旦作成した事業者が、次に情報収集装置１１０をアクセスすると、ホームページ新規作成・書替判定部１１２（図６）は書替要求と判定し、デ−タ収集部１１３を書替モードで起動させる。データ収集部１１３が書替モードで起動されると、データ収集部１１３はデータベース１０２からその事業者のホームページ用データを全て読み出し一時記憶部１１５に格納すると共に書替画面を事業者端末３００に提供する。書替画面としてはホームーページの雛形を交換するか、或いは作成されているホームーページの中のどのホームページを書き換えるのか、またそのホームページのどの表示欄を書き替えるのかを問い合わせる。ホームーページの雛形を交換する場合は、図１２に示した雛形の選択画面を事業者端末３００に表示させ、ホームーページの雛形を選択させる。ホームーページの雛形の変更が決定すると、データベース１０２に格納しているホームーページの雛形のコード番号が書き替えられる。更に書き替えを希望する表示欄を指定すると、その表示欄に対応する入力欄が事業者端末３００に提供され、その入力欄に新たな内容を記入することにより書き替え作業が終了する。
【００３１】
書き替えられた入力欄のデータはその入力欄に割当てられている変数名に代入されて情報収集装置１１０に送られ、一時記憶部１１５に格納されているホームページ用データの中の書き替えを行った入力欄の変数名に書き込まれるまれ、データベース１０２に書き戻される。従って文字数の少ない入力欄、例えばカレンダ入力のような入力欄であれば携帯電話機からでも書き替えモードを利用して新たな予定等を入力することができる。
書き替えを実行すると、書き替え終了時点から書き替え通知部１１８が計時動作を開始し、所定の時間例えば５分程度通過した時点で書き替えを行った事業者の電話番号またはファックス番号に書き替えが行われたことを通知し、事業者にホームページの書き替えが行われたことを知らせ確認させる。この書き替え通知部１１８を設けたことにより事業者は仮に他人が勝手に自己のホームページを書き替えした場合は直ちにそれを感知することができる。
【実施例１】
【００３２】
図１４はこの発明による情報発信装置１３０の内部構成の一例を示す。情報発信装置１３０は不特定多数のユーザ端末４００にデータベース１０２に収集したホームページを
発信する装置として動作する。
その内部構成としてはユーザ端末着信部１３１と、トップページ情報格納発送部１３２と、検索部１３３と、検索結果発送部１３４と、ホームページ生成部１３５と、ホームページ情報発送部１３６と、カレンダ機能１３７とによって構成することができる。
ユーザ端末着信部１３１はユーザ端末４００からの接続要求を着信する。接続要求を着信すると、トップページ情報格納発送部１３２が起動され、観光ガイドシステムのトップページをユーザ端末４００に送付する。観光ガイドシステムのトップページは図２に示した比較的広域の領域を表示する地図で構成される。この地図の知りたい地域を含む枡目１６（図２参照）の内をクリックすると、そのクリック位置が情報発信装置１３０に返送され、その位置情報から対応する地域の詳細地図を発送し、図３に示した詳細マップをユーザ端末４００に表示する。
【００３３】
詳細マップにはこの観光ガイドシステムに加入している各観光地の地名が表示される。この観光地の位置をクリックすると、図４に示す検索画面が表示される。この検索画面の中の何れかのキーワードをクリックすると、検索部１３３はデータベース１０２の中からクリックされたキーワードを持つホームページを検索する。このとき、図３に示した地名の入力により検索対象を地名で特定される記憶領域に絞ることができる。つまり、地名を特定することによりその地名に割り付けられている例えば郵便番号等によりデータベース１０２内のアドレス領域を特定してアクセスすることができる。
【００３４】
検索結果発送部１３４は検索部１３３が検索した結果をユーザ端末４００に送付し、ユーザ端末４００にその結果を図５に示したように表示する。ユーザはこの検索結果から希望の施設を選び、その施設の表示にクリックを入力することにより、そのクリックの入力位置が情報発信装置１３０に返送され、そのクリックの入力位置にリンクされている（プログラムでリンクする）個別のホームページ格納アドレスが特定される。ホームページのアドレスが特定されることにより、そのアドレスに格納されているホームページデータが読み出され、ホームページ生成部１３５はこのホームページデータに指定されているホームページの雛形に代入する。個別ホームページ情報発送部１３６はこのホームページ情報をユーザ端末４００に送付し、ユーザ端末４００に各事業者が作成したホームページを表示する。ユーザが個別のホームページを選択する場合、例えば図４に示した「見る」をキーワードとした釦Ｂ１をクリックしたとすると、その観光地の例えば観光協会或は事業者が組織した組合等が開設しているホームページにリンクさせ、そのホームページで観光地の見所等を提示して観光地全般のガイドを行えばよい。
【００３５】
指定されたホームページにカレンダ表示データが含まれる場合、例えば行事予定欄を含む場合は、カレンダ機能１３７はアクセス中のホームペ−ジ用データの中から当日又は指定された日時の範囲を検索し、その日時の範囲内に存在する行事予定を抽出し、その抽出結果を対応するホームペ−ジの表示欄に表示する。
【００３６】
以上説明したように、この発明の実施例に用いた情報収集方法及び情報収集装置によれば各観光地毎にサーバを設置し、ホームページの運用を管理しなくても、国内外を問わずインターネットのような通信網２００上に１台の管理サーバ１００を設置し、この管理サーバ１００内にデータベース１０２と、情報収集装置１１０と情報発信装置１３０を設置すれば、世界中のどの地域の事業者でもこの観光ガイドシステム又は或る特定の業種の情報公開システムに加入することができる。
また、各観光地の観光協会或は商工会議所等が配下の事業者のホームページの運用を管理しなくてよく、各観光協会等は１個の事業者としてその観光地共通の情報を紹介するホームページを開設し、そのホームページの内容だけを更新し管理すればよいから、各観光地の観光協会等に負担が掛かることはない。
【００３７】
また、各事業者用のホームページはプログラム言語の知識を持たなくても作成し、書き替えを行うことができるから、誰でもホームページを開設することができる。特に書き替えも簡単に行うことができるから、飲食店或いは販売店のホームページでは毎日の日替わりメニュー、又は特売の広告などに利用することができる。
更にこの発明による情報発信方法によればユーザに対してメニュー方式で情報を選択するのでなく、キーワードを用いた検索方式で目的とするホームページを開示する方法としたから、ホームページの入れ替え、つまり、加入している事業者が退却した場合、或いは新たに入会しても、その都度メニューを書き替える必要がない。従って、管理サーバ１００を運営する管理者にとっても手間が掛からない利点が得られる。
【産業上の利用可能性】
【００３８】
地域活性化のための情報発信手段として活用することができる。
【図面の簡単な説明】
【００３９】
【図１】この発明による情報発信方法、情報発信装置の概要を説明するためのブロック図。
【図２】この発明による情報発信方法及び装置の動作を説明するための図。
【図３】図２と同様の図。
【図４】この発明の情報発信方法の特徴を説明するための図。
【図５】図４と同様の図。
【図６】この発明の実施例に用いる情報収集装置の一実施例を説明するためのブロック図。
【図７】この発明の実施例に用いる情報収集装置の情報収集のための入力画面の一例。
【図８】図７と同様の図。
【図９】図７と同様の図。
【図１０】図７と同様の図。
【図１１】図７と同様の図。
【図１２】この発明による情報発信装置に蓄積するホームページの雛形を提示して選択させる状況を説明するための図。
【図１３】図１２に示したホームページの雛形の選択と、図７乃至図１１に示した入力画面で入力した情報により作制したホームページの一例を説明するための図。
【図１４】この発明による情報発信装置の一実施例を説明するためのブロック図。
【図１５】従来の情報発信方法を説明するための図。
【符号の説明】
【００４０】
１００    管理サーバ
１０１    制御部
１０２    データベース
１１０    情報収集装置
１１１    事業者認証部
１１２    ホームページ新規作成・書替判定部
１１３    データ収集部
１１４    ホームページ雛形情報格納送出部
１１５    一時記憶部
１１６    アドレス生成部
１１７    データベース書込部
１１８    書替通知部
１３０    情報発信装置
１３１    ユーザ端末着信部
１３２    トップページ情報格納発送部
１３３    検索部
１３４    検査結果発送部
１３５    個別ホームページ生成部
１３６    個別ホームーページ情報発送部
１３７    カレンダ機能
２００    通信網
３００    事業者端末
４００    ユーザ端末
【図１】
2005141765.tif 000003
【図２】
2005141765.tif 000004
【図３】
2005141765.tif 000005
【図４】
2005141765.tif 000006
【図５】
2005141765.tif 000007
【図６】
2005141765.tif 000008
【図７】
2005141765.tif 000009
【図８】
2005141765.tif 000010
【図９】
2005141765.tif 000011
【図１０】
2005141765.tif 000012
【図１１】
2005141765.tif 000013
【図１２】
2005141765.tif 000014
【図１３】
2005141765.tif 000015
【図１４】
2005141765.tif 000016
【図１５】
2005141765.tif 000017